(57)【要約】      （修正有）【課題】ストローの材料をプラスチック製に変わるものとして、自然に優しい木材を使用した有効な木製ストローを製作する木製ストロー製造装置を提供する。【解決手段】木材スライス単薄板２を使用して、木製の中空パイプ状ストローの製造において、平板盤３上に回転調整できる連結ギアー軸体５付き回転駆動体と、連結ギアー軸体に固着させている薄板巻き型枠丸棒体６をもう一方の先端で固着させる脱着容易な固定金具体４と、平板盤の中心部全体にて薄板巻き型枠丸棒体を押し上げて、木材スライス単薄板を傾斜巻き操作を可能にしている平板台と、平板台の四箇所にスプリング１４を取り付けて、薄板巻き型枠丸棒体を常時押上げた状態にしているクッション性樹脂シート体を持つ平板操作体８とからなり、それらを平板盤上に適切な部位に配置して中空パイプ状ストローに仕上げる。【選択図】図４
0003227206.tif 000002
【実用新案登録請求の範囲】
【請求項１】
０．１５〜０．５ｍｍ厚さの木材スライス単薄板を使用して、管径３〜１２ｍｍの木製の中空パイプ状ストローの製造において、平板盤上に回転調整できる連結ギアー軸体付き回転駆動体と、前記連結ギアー軸体に固着させている薄板巻き型枠丸棒体をもう一方の先端で固着させる脱着容易な固定金具体と、平板盤の中心部にて、薄板巻き型枠丸棒体に前記木材スライス単薄板を傾斜に巻き操作できる平板台を設置して、前記平板台の四箇所にスプリングを取り付けて、薄板巻き型枠丸棒体を常時押上げ状態になっている平板操作体とからなり、前記平板盤上に薄板巻き型枠丸棒体を中心に両側に回転駆動体と固定金具体とを配置しており、
平板操作体上で前記木材スライス単薄板を薄板巻き型枠丸棒体と平板操作体との隙間に押し入れて回転させながら薄板巻き型枠丸棒体に傾斜巻き付けて、薄板巻き型枠丸棒体の周囲に薄板円筒形状体を成形し、前記薄板円筒形状体に周囲に巻き付いた型枠丸棒体から抜き出して、中空パイプ状ストローに仕上げていることを特徴とする木製ストロー製造装置。
【請求項２】
薄板巻き型枠丸棒体は、３〜１２ｍｍ直径、２００〜６００ｍｍ長さの樹脂製、金属製円形体であって、木材スライス単薄板を回転している薄板巻き型枠丸棒体に傾斜的に２〜６回転させて巻き付かせて、木材スライス単薄板が型枠丸棒体に部分的に１重層、又は２重層を構成した薄板円筒形状になった中空パイプ状ストローになって、前記型枠丸棒体の両端で連結ギアー軸体と固定金具体で固着されている薄板巻き型枠丸棒体の周囲に形成されている薄板円筒形状体を薄板巻き型枠丸棒体から抜き離すことができる組立構造になっていることを特徴とする請求項１に記載の木製ストロー製造装置。
【請求項３】
平板盤上に固定された、回転調整できる連結ギアー軸体付き回転駆動体は、連結ギアー軸体を先端部に取り付けて、前記連結ギアー軸体には種々の径の円形状薄板巻き型枠丸棒体の先端部を装着できるようになっており、他方の薄板巻き型枠丸棒体の先端部を固定金具体に装着して、前記型枠丸棒体の両先端部は連結ギアー軸体と固定金具体とにそれぞれ容易に装着・取り外し可能な扁平状形にしていることを特徴とする請求項１、又は請求項２に記載の木製ストロー製造装置。
【請求項４】
木材スライス単薄板を薄板巻き型枠丸棒体に巻き操作を行う平板操作台は、厚さ１５〜３０ｍｍ縦３００〜５００ｍｍ、横３００〜６００ｍｍの平板台であり、前記平板台の各四隅に直径３０〜５０ｍｍの円形状の穴部を設けて、前記穴部には１〜２ｍｍ径のスプリング針金を２０〜３０ｍｍ径、４０〜６０ｍｍ高さにした円形状スパイラルのスプリングを嵌め込み、前記スプリングによる上下伸縮振動できる平板台になって、前記薄板巻き型枠丸棒体を押し上げて、前記木材スライス単薄板をスムーズに薄板巻き型枠丸棒体と平板台との隙間に差し込みして斜巻きできるようになっていることを特徴とする請求項１〜請求項３のいずれかに記載の木製ストロー製造装置。
【請求項５】
平板台上にある平板操作体には、木材スライス単薄平板の挿入操作でスムーズに移行できて、接着剤の付着に対応できる表面にするために、表面を平滑性樹脂面にして、裏面をクッション性スポンジ状樹脂からなる２〜５ｍｍ厚さの表面平滑性なクッション性樹脂シート体を敷いて、薄板巻き型枠丸棒体と平板操作体であるクッション性樹脂シート体の間に斜め向きに挟んで薄板円筒形状になった中空パイプストローになるように巻き付かせて、前記薄板巻き型枠丸棒体への木材スライス単薄平板が巻き付く速度を薄板巻き型枠丸棒体の直径と回転速度によってコントロールできるようにして、木材スライス単薄平板の挿入供給と薄板円筒形状中空パイプの取り出しを手動、又は自動で行うようになっていることを特徴とする請求項１〜請求項４のいずれかに記載の木製ストロー製造装置。
【請求項６】
管径３〜１２ｍｍの木製の薄板円筒形状中空パイプは、前記木材スライス単薄平板を薄板巻き型枠丸棒体と平板操作体上に敷かれたクッション性樹脂シート体との隙間に、木目の幅を５〜２０ｍｍの範囲にある木目方向に対して１０〜３０°の角度で挟入して形成されて、前記クッション性樹脂シート体は前記木材スライス単薄平板の端部に接着剤を塗布して、薄板巻き型枠丸棒体の外部面に沿って２〜６回転によって筒状中空パイプ状になるように巻きと接着の操作を可能にした平滑性な表面状態になっていることを特徴とする請求項１〜請求項５のいずれかに記載の木製ストロー製造装置。
【請求項７】
前記製造装置に使用する一定の寸法の木材スライス単薄平板は、型枠丸棒体に沿って２〜６回転によって巻いて得られた薄板円筒形状の強靭で均一な有色中空パイプに仕上げるために、白色から茶色を呈して、木質の特性を持つ木製平板において、前記材の厚さ０．１５〜０．５ｍｍに調整された幅５０〜１５０ｍｍ、長さ１５０〜５００ｍｍの平滑的薄平板にして、前記平滑的薄平板の端部に前記木材スライス単薄平板の縦端部である接合面に食品安全性の多糖質系、又はポリビニルアルコール系の接着剤を使用して前記平板片面の接合面の端に塗布できる塗布具、又は塗布装置を平板台上に所持していることを特徴とする請求項１、〜請求項６のいずれかに記載の木製ストロー製造装置。
【考案の詳細な説明】
【技術分野】
【０００１】この考案は、木材スライス単薄平板を木目方向に対して特定角度で巻いた飲料用木製薄板円筒形状になった中空パイプストローを製作させるストロー製造装置に関するものである。
【背景技術】
【０００２】飲料に使用する吸飲用のストロ−は、原料のプラスチック製の管を、密封容器の深さよりも僅か長めに切断し、その一端側を斜にカットして、密封容器の密封部にストロ−先端が突き刺しやすくし、他端側は単に輪切りにしたものが提供されている。また、密封容器の側面にストロ−を一体的に接着付帯させた密封容器入り飲料が自動販売機用に販売されている。これに用いられているストロ−は、密封容器よりも長いとその突出部分が障害となって自動販売機内にスム−ズには流れにくくなるために、密封容器の側面の長さに縮小可能な出没二重管方式のものが普及している。【０００３】液体食品用紙容器に用いられる１本若しくは複数本のストロー管からなる飲料用ストローであって、該液体食品用紙容器が該飲料用ストローを差込むための薄肉部を器壁に有し、該ストローが、該薄肉部に差込まれる側のストロー管の先端で鋭角に斜めに切断されて形成される尖った先端槍部と先端基部とを有し、該先端基部の外側角部がアール加工又は／及び面取り加工されている飲料用ストローが提案されている（特許文献１参照）。【０００４】内ストローと外ストローとからなり、内ストローを外ストロー内に納めてあり、この内ストローを外ストローから引き出して伸長する飲料用ストローであって、外ストローの長さを内ストローの長さの概略２倍程とし、外ストローの中間部位置に蛇腹部を設け、外ストローの飲み口近傍部位置に同じく蛇腹部を設けてある飲料用ニ重ストローが提案されている（特許文献２参照）。【０００５】上記のように飲料用ストローは、すべてプラスッチク製であって、利便性の改良であり、また用途面での工夫である。プラスッチク製以外に他の材料のストローは存在していない。とくに欧州などではプラスチック製のストローは禁止になり、使用が難しくなっている。プラスチックに変わるものとして、自然に優しい木材、紙製品が期待するが、製作上、或いは価格的に課題を多くもっている。【０００６】一体成形された先端部が尖った形状を有するペーパーストローは、ペーパーカップ製作時に生じる紙材のカール部と、切断して発生した端材とが回収されて型紙に製作される。端材２２の端部が左右対称に切断されて２つの三角片が除去され、尖った形状の先端部を有する型紙が形成され、型紙の左右が内側に丸められて積層部が接着されてペーパーストローが製作される。ペーパーストローは、尖った形状の先端部が一体成形される方法が提案されている（特許文献３参照）。【０００７】植物繊維粉末と、前記植物繊維粉末と少なくとも１つの混合物を融合させて押出成形により構成されたチューブ本体で、少なくとも１つの前記混合物が１個であり、前記混合物がポリ乳酸（ＰＬＡ）、ポリブチレンサクシネート（ＰＢＳ）またはポリプロピレン（ＰＰ）であり、少なくとも１つの前記混合物が２個であり、前記混合物がポリ乳酸（ＰＬＡ）とポリブチレンサクシネート（ＰＢＳ）、アルコールエステル（ＰＢＳ）とポリプロピレン（ＰＰ）、またはポリ乳酸（ＰＬＡ）とポリプロピレン（ＰＰ）のいずれかを含む環境に優しいストローが提案されている（特許文献４参照）。【０００８】シート状の板目木材をストロー状に成型し、耐水性の接着剤で固定することで木製ストローを得る。シート状の板目木材の表面には撥水性コーティング層が設けられている。シート状の板目木材には、水捌けや耐水性、加工特性に優れた銀杏や桧等の針葉樹を用いる。木製ストローの外観には、木目２を視認することができ、意匠性にも優れた環境対応の木製ストローを提供されている（特許文献５参照）。【０００９】ストローの材料をプラスチック製に変わるものとして、自然に優しい木材を使用した有効な木製ストローを製作する木製中空パイプの成型機を提供するにおいて、０．１〜０．５ｍｍ厚さの木材スライス単薄板を使用する管径３〜１０ｍｍの木製の中空パイプの製造装置は、平板盤上に駆動体のモーターと、回転調整させる二連結ギアー軸体と、二連結ギアー軸体に連動させて中心部に型枠丸棒を配置できるようになった二本の回転用丸棒軸体と上部に押え用丸棒軸体とからなる中空成形部と、回転用丸棒軸体の両端を固着させる２台の軸固定枠部とからなっている装置が提案されている（特許文献６参照）。【００１０】木製ストローを製作する方法の提案、あるいはそれに関する製造装置に関する提案はされているが、しかし現在のプラスチック製ストローには生産性、再現性で対応できるものではない。これらに近づけることが木製ストローに課せられている。そのためには木板からストローを製作させる生産機によってある。さらに性能、機能の点でも改良が必要である。
【先行技術文献】
【特許文献】
【００１１】
【特許文献１】特開２００６−１４１５７５号公報
【特許文献２】特開２００９−１６０２５１号公報
【特許文献３】実用新案登録第３２１９１９９号公報
【特許文献４】実用新案登録第３２１９８９３号公報
【特許文献５】実用新案登録第３２２０６０７号公報
【特許文献６】実用新案登録第３２２１９６２号公報
【考案の概要】
【考案が解決しようとする課題】
【００１２】本考案はかかる実情に鑑みてなされたもので、ストロ−原料のプラスチック製のパイプ管に置き換えて、環境に優れた材料である木材、紙であるパイプを使用することを試みて、吸飲するに際して、ストローとして飲料の不意の放出を防止し、容易且つ安全に吸飲できるプラスチック製以外の材料でできているストロ−の可能性を試みられているが、大量製造に関してプラスチック以外には可能性が薄く、紙製ストローが段階的に製造されつつあるようであるが、特に木製の薄板からストロー、及びその製法については少ない。したがって材料面、作業面から相当コスト高になっている。環境面と木製の特性からは木製ストローを安定に多量製造できる装置の誕生は望まれている。【００１３】現在使用されている飲料用ストローはすべてプラスチック製である。このプラスチック製ストローは他の生物に悪影響を与えて、環境の面から使用禁止になる方向である。とくに欧州などではプラスチック製のストローは禁止になり、使用が難しくなっている。今までのストローは、プラスチック製で、種々の形状を安価に製造できることから、プラスチック以外の他の紙、木材の材料から全く検討はされていなかった。ストローをプラスチックに変わるものとして、自然に優しい木材製品が期待するが、製作上、或いは価格的に課題を多くもっている。自然に優しい木材を使用した有効なストローをプラクチック製品、ペーパー製品と同様に多量に製作できる木製ストローの中空パイプの簡単に多量製作できる機器を確立することを目的にしている。
【課題を解決するための手段】
【００１４】０．１５〜０．５ｍｍ厚さの木材スライス単薄板を使用して、管径３〜１２ｍｍの木製の中空パイプ状ストローの製造において、平板盤上に回転調整できる連結ギアー軸体付き回転駆動体と、前記連結ギアー軸体に固着させている薄板巻き型枠丸棒体をもう一方の先端で固着させる脱着容易な固定金具体と、平板盤の中心部にて、薄板巻き型枠丸棒体に前記木材スライス単薄板を傾斜に巻き操作できる平板台を設置して、前記平板台の四箇所にスプリングを取り付けて、薄板巻き型枠丸棒体を常時押上げ状態になっている平板操作体とからなり、前記平板盤上に薄板巻き型枠丸棒体を中心に両側に回転駆動体と固定金具体とを配置しており、平板操作体上で前記木材スライス単薄板を薄板巻き型枠丸棒体と平板操作体との隙間に押し入れて回転させながら薄板巻き型枠丸棒体に傾斜巻き付けて、薄板巻き型枠丸棒体の周囲に薄板円筒形状体を成形し、前記薄板円筒形状体に周囲に巻き付いた型枠丸棒体から抜き出して、中空パイプ状ストローに仕上げている木製ストロー製造装置である。【００１５】薄板巻き型枠丸棒体は、３〜１２ｍｍ直径、２００〜６００ｍｍ長さの樹脂製、金属製円形体であって、木材スライス単薄板を回転している薄板巻き型枠丸棒体に傾斜的に２〜６回転させて巻き付かせて、木材スライス単薄板が型枠丸棒体に部分的に１重層、又は２重層を構成した薄板円筒形状になった中空パイプ状ストローになって、前記型枠丸棒体の両端で連結ギアー軸体と固定金具体で固着されている薄板巻き型枠丸棒体の周囲に形成されている薄板円筒形状体を薄板巻き型枠丸棒体から抜き離すことができる組立構造になっている。【００１６】平板盤上に固定された、回転調整できる連結ギアー軸体付き回転駆動体は、連結ギアー軸体を先端部に取り付けて、前記連結ギアー軸体には種々の径の円形状薄板巻き型枠丸棒体の先端部を装着できるようになっており、他方の薄板巻き型枠丸棒体の先端部を固定金具体に装着して、前記型枠丸棒体の両先端部は連結ギアー軸体と固定金具体とにそれぞれ容易に装着・取り外し可能な扁平状形にしている。【００１７】木材スライス単薄板を薄板巻き型枠丸棒体に巻き操作を行う平板操作台は、厚さ１５〜３０ｍｍ縦３００〜５００ｍｍ、横３００〜６００ｍｍの平板台であり、前記平板台の各四隅に直径３０〜５０ｍｍの円形状の穴部を設けて、前記穴部には１〜２ｍｍ径のスプリング針金を２０〜３０ｍｍ径、４０〜６０ｍｍ高さにした円形状スパイラルのスプリングを嵌め込み、前記スプリングによる上下伸縮振動できる平板台になって、前記薄板巻き型枠丸棒体を押し上げて、前記木材スライス単薄板をスムーズに薄板巻き型枠丸棒体と平板台との隙間に差し込みして斜巻きできるようになっている。【００１８】平板盤上にある平板操作体には、木材スライス単薄平板の挿入操作でスムーズに移行できて、接着剤の付着に対応できる表面にするために、表面を平滑性樹脂面にして、裏面をクッション性スポンジ状樹脂からなる２〜５ｍｍ厚さの表面平滑性クッション性樹脂シート体を敷いて、薄板巻き型枠丸棒体とクッション性樹脂シート体の間に斜め向きに挟んで薄板円筒形状になった中空パイプストローになるように巻き付かせて、前記薄板巻き型枠丸棒体への木材スライス単薄平板が巻き付く速度を薄板巻き型枠丸棒体の直径と回転速度によってコントロールできるようにして、木材スライス単薄平板の挿入供給と薄板円筒形状中空パイプの取り出しを手動、又は自動で行うようになっている。【００１９】管径３〜１２ｍｍの木製の薄板円筒形状中空パイプは、前記木材スライス単薄平板を薄板巻き型枠丸棒体と平板操作体上に敷かれたクッション性樹脂シート体との隙間に、木目の幅を５〜２０ｍｍの範囲にある木目方向に対して１０〜３０°の角度で挟入して形成されて、前記クッション性樹脂シート体は前記木材スライス単薄平板の端部に接着剤を塗布して、薄板巻き型枠丸棒体の外部面に沿って２〜６回転によって筒状中空パイプ状になるように巻きと接着の操作を可能にした平滑性な表面状態になっている。【００２０】前記製造装置に使用する一定の寸法の木材スライス単薄平板は、型枠丸棒体に沿って２〜６回転によって巻いて得られた薄板円筒形状の強靭で均一な有色中空パイプに仕上げるために、白色から茶色を呈して、木質の特性を持つ木製平板において、前記材の厚さ０．１５〜０．５ｍｍに調整された幅５０〜１５０ｍｍ、長さ１５０〜５００ｍｍの平滑的薄平板にして、前記平滑的薄平板の端部に前記木材スライス単薄平板の縦端部である接合面に食品安全性の多糖質系、又はアクリレート系の接着剤を使用して前記平板片面の接合面の端に塗布できる塗布具、又は塗布装置を平板台上に所持している。
【考案の効果】
【００２１】環境的にも優れている管径３〜１２ｍｍの木製の中空パイプとして飲料用木製ストローが、簡単に多量に製造できるようになる。操作においても容易であり、種々の木製材料によっても手動操作、又は自動操作のストロー製品を製造できる装置である。また多量に製造できて、省力化もできる装置であり、これによってプラスチック製のストローなどの食用容器に置き換わって、広く使用されて、環境的にも問題がない装置になる。【００２２】本考案による装置によって製作された木製のストローは、強度的にも十分で、亀裂とかヒズミなどが存在しない強靭であり、耐久性も持っている。また加工性は用途に応じて可能であり、木製の特性である殺菌性、抗菌性などを持っており、衛生的である。また廃棄しても自然にかえるために地球環境的には非常に優れている再現性のあるストロー製品であり、木材スライス単薄平板を木目方向に対して特定角度で巻いた飲料用木製薄板円筒形状になった中空パイプストローを簡単に手動的、または自動的に製造できる装置である。
【図面の簡単な説明】
【００２３】
【図１】木製ストロー製造装置の全体を示す斜視図。
【図２】木製ストロー製造装置の主要各部品に関する図  Ａ：連結ギアー軸体付き回転駆動体  Ｂ：薄板巻き型枠丸棒体  Ｃ：固定金具体  Ｄ：平板操作台  Ｅ：クッション性樹脂シート体
【図３】木製ストロー製造装置の薄板巻き型枠丸棒体の拡大図と種類の図  Ａ：５ｍｍφ  Ｂ：１２ｍｍφ
【図４】木製ストロー製造装置で薄板巻き状態の拡大図。Ａ：薄板巻き型枠丸棒体に薄板を巻く初期状態  Ｂ：薄板巻き型枠丸棒体に薄板を巻き終わった状態
【図５】木製ストロー製造装置で薄板に接着剤を塗布している薄板の巻き状態を示した斜視図
【図６】木製ストロー製造装置を使用した型枠丸棒体に巻き付けたストローを示した斜視図  Ａ：薄板巻き型枠丸棒体に薄板円筒形状体になった状態  Ｂ：薄板巻き型枠丸棒体から薄板円筒形状体を抜き取った状態
【考案を実施するための形態】
【００２４】以下に、この考案の一実施形態を、図面に基づいて説明する。プラスチック製ストローに代わるものとして、自然に優しい木材の材料を目指して、製作上、或いは価格的に検討を加えて、自然に優しい木材を使用した有効なストローを製作する方法について示す。
【実施例１】
【００２５】図１に示すように０．１５ｍｍ厚さの木材スライス単薄板を使用して、管径６ｍｍの木製の中空パイプ状ストローの製造において、図２に示すように平板盤上に回転調整できる連結ギアー軸体付き回転駆動体（回転調整可能なモーター）Ａと、前記連結ギアー軸体に固着させている薄板巻き型枠丸棒体Ｂをもう一方の先端で固着させる脱着容易な固定金具体Ｃと、平板盤の中心部全体にて薄板巻き型枠丸棒体を押し上げて、前記木材スライス単薄板を傾斜巻き操作を可能にしている平板台Ｄで、前記平板台の四箇所にスプリングを取り付けて、薄板巻き型枠丸棒体を常時押上げた状態にしている平板操作体Ｅとの４部品からなり、それらを前記平板盤上に薄板巻き型枠丸棒体に回転させながら薄板を巻いて薄板円筒形状体にしあげることができるような適切な部位に配置されて固定させている、特に平板操作体上で前記木材スライス単薄板を押し入れて回転させながら型枠丸棒体に傾斜巻き付けて、型枠丸棒体の周囲に薄板円筒形状体を成形し、前記薄板円筒形状体に周囲に巻き付いた型枠丸棒体から取り出して、中空パイプ状ストローに仕上げる装置にした。【００２６】図３に示すように、管径５ｍｍ、長さ２００ｍｍの木製の中空パイプ状ストロー用薄板巻き型枠丸棒体は、５ｍｍ直径、３５０ｍｍ長さの金属製円形体であって、木材スライス単薄板を回転している型枠丸棒体に傾斜的に約４回転させて巻き付かせて、木材スライス単薄板が型枠丸棒体に部分的に１重、又は２重を構成した薄板円筒形状になって１本分中空パイプ状ストローになって、前記型枠丸棒体の両端で連結ギアー軸体と固定金具体で固着されている型枠丸棒体の周囲に形成されている薄板円筒形状体を型枠丸棒体から抜き離すことができる装置にした。【００２７】平板盤上に固定された、回転調整できる連結ギアー軸体付き回転駆動体は、連結ギアー軸体を先端部に６ｍｍφの薄板巻き型枠丸棒体を取り付けて、他方の薄板巻き型枠丸棒体の先端部を固定金具体に装着して、前記型枠丸棒体の両先端部は連結ギアー軸体と固定金具体とにそれぞれ容易に装着・取り外し可能な平面を持つ扁平状形にした。【００２８】図５に示すように管径５ｍｍφの木製の薄板円筒形状中空パイプは、前記木材スライス単薄平板を型枠丸棒体と平板材盤上に存在する表面平滑性クッション性樹脂シート体との隙間に、木目の幅を５〜２０ｍｍの範囲にある木目方向に対して１０°の角度で挟入させて、前記木材スライス単薄平板の端部に接着剤を塗布して、型枠丸棒体の外部面に沿って４回転によって筒状中空パイプに巻ける薄板の接着剤の取り付けなどの操作がクッション性樹脂シート体の表面で行うことができた。【００２９】前記製造装置に使用する一定の寸法の木材スライス単薄平板は、薄板巻き型枠丸棒体に沿って約４回転によって巻いて得られた薄板円筒形状の強靭で均一な有色中空パイプに仕上げるために、茶色を呈して、木質の特性を持つ木製平板において、前記材の厚さ０．１５ｍｍに調整された幅５０ｍｍ、長さ５００ｍｍの平滑的薄平板にして、前記平滑的薄平板の端部に前記木材スライス単薄平板の縦端部である接合面に食品安全性のポリビニルアルコール系の接着剤を使用して前記平板片面の接合面の端に塗布できる塗布具を平板材盤上に所持した。【００３０】木材スライス単薄板を型枠丸棒体に巻き操作できる平板操作台は、厚さ２０ｍｍ縦４００ｍｍ、横５００ｍｍの平板材台（平板操作台）であり、前記平板材台（平板操作台）の各四隅に直径５０ｍｍの円形状の穴部を設けて、前記穴部には１．５ｍｍ径のスプリング針金を４８ｍｍ径、５０ｍｍ高さにした円形状スパイラルのスプリングを嵌め込み、前記スプリングによる上下振動できる平板材台（平板操作台）になって、前記型枠丸棒体を押し上げて、前記木材スライス単薄板をスムーズに型枠丸棒体と平板盤との隙間に差し込みして斜巻きできるようにした。【００３１】平板材盤には、木材スライス単薄平板の導入操作でスムーズに移動できて、接着剤の付着に対応できる表面にするために、表面を平滑性樹脂面にして、裏面をクッション性スポンジ状樹脂からなる３ｍｍ厚さの表面平滑性クッション性樹脂シート体を置いて、型枠丸棒体とクッション性樹脂シート体の間に斜め向きに挟んで薄板円筒形状になった中空パイプ状ストローに巻き付かせて、前記型枠丸棒体への木材スライス単薄平板が巻き付く速度を型枠丸棒体の直径と回転速度によってコントロールできるようにして、木材スライス単薄平板の導入供給と薄板円筒形状中空パイプの取り出しを手動で行うようにした。２００ｍｍの１本に切断した。これにより飲料の吸引用の５ｍｍφの中空パイプ状ストローが得られた。
【実施例２】
【００３２】実施例１と同様に０．２ｍｍ厚さの木材スライス単薄板を使用して、管径１２ｍｍの木製の中空パイプ状ストローの製造において、平板盤上に回転調整できる連結ギアー軸体付き回転駆動体（回転調整可能なモーター）と、前記連結ギアー軸体に固着させている薄板巻き型枠丸棒体をもう一方の先端で固着させる脱着容易な固定金具体と、平板盤の中心部全体にて薄板巻き型枠丸棒体を押し上げて、前記木材スライス単薄板を傾斜巻き操作を可能にしている平板台で、前記平板台の四箇所にスプリングを取り付けて、薄板巻き型枠丸棒体を常時押上げた状態にしている平板操作体との４部品からなり、それらを前記平板盤上に薄板巻き型枠丸棒体に回転させながら薄板を巻いて薄板円筒形状体にしあげることができるような適切な部位に配置されて固定させている、特に平板操作体上で前記木材スライス単薄板を押し入れて回転させながら型枠丸棒体に傾斜巻き付けて、型枠丸棒体の周囲に薄板円筒形状体を成形し、前記薄板円筒形状体に周囲に巻き付いた型枠丸棒体から取り出して、中空パイプ状ストローに仕上げる装置になっている。【００３３】図３Ｂに示すように、管径１２ｍｍ、長さ２００ｍｍの木製の中空パイプ状ストロー用薄板巻き型枠丸棒体は、１２ｍｍ直径、４００ｍｍ長さの金属製円形体であって、木材スライス単薄板を回転している型枠丸棒体に傾斜的に約３．５回転させて巻き付かせて、木材スライス単薄板が型枠丸棒体に部分的に１重、又は２重を構成した薄板円筒形状になった１本分中空パイプ状ストローになって、前記型枠丸棒体の両端で連結ギアー軸体と固定金具体で固着されている型枠丸棒体の周囲に形成されている薄板円筒形状体を型枠丸棒体から抜き離すことができる装置にした。【００３４】図６に示すように平板盤上に固定された、回転調整できる連結ギアー軸体付き回転駆動体は、連結ギアー軸体を先端部に１２ｍｍφの薄板巻き型枠丸棒体を取り付けて、他方の薄板巻き型枠丸棒体の先端部を固定金具体に装着して、前記型枠丸棒体の両先端部は連結ギアー軸体と固定金具体とにそれぞれ容易に装着・取り外し可能な平面を持つ扁平状形にした。【００３５】管径１２ｍｍφの木製の薄板円筒形状中空パイプは、前記木材スライス単薄平板を型枠丸棒体と平板材台（平板操作台）上に存在する表面平滑性クッション性樹脂シート体との隙間に、木目の幅を５〜２０ｍｍの範囲にある木目方向に対して１５°の角度で挟入させて、前記木材スライス単薄平板の端部に接着剤を塗布して、型枠丸棒体の外部面に沿って３．５回転によって筒状中空パイプに巻ける薄板の接着剤の取り付けなどの操作がクッション性樹脂シート体の表面で行うことができた。【００３６】前記製造装置に使用する一定の寸法の木材スライス単薄平板は、薄板巻き型枠丸棒体に沿って３．５回転によって巻いて得られた薄板円筒形状の強靭で均一な有色中空パイプに仕上げるために、白色から茶色を呈して、木質の特性を持つ木製平板において、前記材の厚さ０．２ｍｍに調整された幅６０ｍｍ、長さ５００ｍｍの平滑的薄平板にして、前記平滑的薄平板の端部に前記木材スライス単薄平板の縦端部である接合面に食品安全性のＰＶＡ系の接着剤を使用して前記平板片面の接合面の端に塗布できる塗布具を平板材盤上に所持した。【００３７】木材スライス単薄板を型枠丸棒体に巻き操作できる平板操作台は、厚さ２０ｍｍ、縦４００ｍｍ、横５００ｍｍの平板台であり、前記平板台の各四隅に直径５０ｍｍの円形状の穴部を設けて、前記穴部には１．５ｍｍ径のスプリング針金を４８ｍｍ径、５０ｍｍ高さにした円形状スパイラルのスプリングを嵌め込み、前記スプリングによる上下振動できる平板材台（平板操作台）になって、前記型枠丸棒体を押し上げて、前記木材スライス単薄板をスムーズに型枠丸棒体と平板材盤との隙間に差し込みして斜巻きできるようにした。【００３８】平板材盤には、木材スライス単薄平板の導入操作でスムーズに移動できて、接着剤の付着に対応できる表面にするために、表面を平滑性樹脂面にして、裏面をクッション性スポンジ状樹脂からなる３ｍｍ厚さの表面平滑性クッション性樹脂シート体を置いて、型枠丸棒体とクッション性樹脂シート体の間に斜め向きに挟んで薄板円筒形状になった中空パイプ状ストローに巻き付かせて、前記型枠丸棒体への木材スライス単薄平板が巻き付く速度を型枠丸棒体の直径と回転速度によってコントロールできるようにして、木材スライス単薄平板の導入供給と１２ｍｍφの薄板円筒形状中空パイプの取り出しを手動で行うようにした。２００ｍｍの１本に切断した。
【符号の説明】
【００３９】１  木製ストロー、
２  スライス単薄板、
３  平板盤
４  固定金具体
５  連結ギアー軸体
６  型枠丸棒体
７  平板台
８  平板操作体
９  木目、
１０  薄板円筒形状体
１１  巻き目
１２  接着剤
１３  薄板群の経木
１４  スプリング
１５  穴部
１６  表面平滑面
１７  表面平滑性クッション性樹脂シート
１８  制御盤
0003227206.tif 000003
【手続補正書】
【提出日】令和2年4月13日(2020.4.13)
【手続補正１】
【補正対象書類名】図面
【補正対象項目名】全図
【補正方法】変更
【補正の内容】
【図１】
0003227206.tif 000004
【図２】
0003227206.tif 000005
【図３】
0003227206.tif 000006
【図４】
0003227206.tif 000007
【図５】
0003227206.tif 000008
【図６】
0003227206.tif 000009